(57)【要約】【課題】スペーサの誤組み付けを防止できる、シリンダブロックおよびスペーサ並びにガスケットの提供。【解決手段】スペーサ１が組み付けられるクローズドデッキ型のシリンダブロック１０、スペーサ１、またはガスケット３０であって、（１）スペーサを組み付ける必要のない水孔の形状がスペーサを挿入できない形状とされている、（２）スペーサを組み付ける必要のない水孔にスペーサを挿入したときには、スペーサがシリンダブロックの上面から突出する、（３）スペーサの種類と水孔の形状との組み合わせに正しくないとき、スペーサがウォータジャケットに挿入できないかシリンダブロック上面から突出する、（４）挿入すべきでない水孔に挿入されたとき、スペーサ１がウォータジャケットに干渉する、（５）挿入すべきでない水孔に挿入されたとき、スペーサ１がガスケットに干渉する。【選択図】　　　　図３
2004019474.tif 000002
【特許請求の範囲】
【請求項１】
上面に複数の水孔が形成され、この水孔からウォータジャケットにスペーサが挿入されることにより、前記スペーサが組み付けられるクローズドデッキ型のシリンダブロックであって、前記水孔のうちスペーサを組み付ける必要のない箇所に位置する水孔の形状が前記スペーサを挿入できない形状とされているシリンダブロック。
【請求項２】
上面に複数の水孔が形成され、この水孔からウォータジャケットにスペーサが挿入されることにより、前記スペーサが組み付けられるクローズドデッキ型のシリンダブロックであって、前記水孔のうちスペーサを組み付ける必要のない箇所に位置する水孔に前記スペーサを挿入したときには、前記スペーサが前記シリンダブロックの上面から突出するよう前記ウォータジャケットが構成されているシリンダブロック。
【請求項３】
上面に複数の水孔が形成され、これら複数の水孔からウォータジャケットに各水孔の形状に対応した複数種類のスペーサが挿入されることにより、前記スペーサが組み付けられるクローズドデッキ型のシリンダブロックであって、前記スペーサの種類と前記水孔の形状との組み合わせに正しくない組み合わせものがある時には、少なくとも一部のスペーサが正規のウォータジャケット内位置に挿入できないかまたはシリンダブロック上面から突出するよう前記水孔またはウォータジャケットが構成されているシリンダブロック。
【請求項４】
上面に複数の水孔が形成されたクローズドデッキ型のシリンダブロックに用いられ、前記水孔からウォータジャケットに挿入されることにより、前記ウォータジャケットに組み付けられるスペーサであって、下端に切り欠きが設けられ、その下端は、前記複数の水孔のうち挿入すべき水孔とは異なる水孔に挿入されたときには、前記ウォータジャケットに干渉するが、前記挿入すべき水孔に挿入されたときには、前記切り欠きにより前記ウォータジャケットに干渉しないようにされているスペーサ。
【請求項５】
上面に複数の水孔が形成されたクローズドデッキ型のシリンダブロックに用いられ、前記水孔からウォータジャケットに挿入されることにより、前記ウォータジャケットに組み付けられるスペーサであって、上端に突起が設けられ、その上端は、前記複数の水孔のうち挿入すべき水孔に挿入されたときには、前記上面に組み付けられるガスケットに干渉しないが、前記挿入すべき水孔とは異なる水孔に挿入されたときは、前記突起により前記ガスケットに干渉するようにされているスペーサ。
【請求項６】
上面に複数の水孔が形成され、この水孔からウォータジャケットにスペーサが挿入されることにより、前記スペーサが組み付けられるクローズドデッキ型のシリンダブロックに用いられ、前記上面に組み付けられるガスケットであって、前記スペーサが前記複数の水孔のうち挿入すべき水孔とは異なる水孔に挿入されたときに前記スペーサに干渉する突起が設けられているガスケット。
【請求項７】
上面に複数の水孔が形成され、この水孔からウォータジャケットにスペーサが挿入されることにより、前記スペーサが組み付けられるクローズドデッキ型のシリンダブロックに用いられ、前記上面に組み付けられるガスケットであって、前記スペーサが前記複数の水孔のうち挿入すべき水孔とは異なる水孔に挿入されたときに前記スペーサに干渉するが、前記スペーサが前記挿入すべき水孔に挿入されたときには前記スペーサとの干渉をなくす孔が設けられているガスケット。
【発明の詳細な説明】
【０００１】
【発明の属する技術分野】
本発明は、内燃機関のシリンダブロックと、シリンダブロックのウォータジャケットに配置されるスペーサ（挿入物、インサート等と呼んでもよい）と、シリンダブロックの上面に配置されるシリンダヘッドガスケット（以下、単にガスケットという）に関するもので、とくにスペーサの誤組み付け防止のための構造に関する。
【０００２】
【従来の技術】
シリンダブロックでは、シリンダボア壁まわりにウォータジャケットが形成され、そこにエンジン冷却水が循環されて、燃焼熱やピストンの摺動によって加熱されるシリンダボア壁を冷却している。燃焼室に近いシリンダボア壁上部の温度は、シリンダボア壁下部の温度よりも高くなる傾向にある。このため、ウォータジャケットに一様に冷却水を供給してシリンダボア壁上部の温度が高くなるのを防止すると、シリンダボア壁下部が過冷却となり、ピストンとの摺動部に発生する摩擦損失が大きくなるといった不具合を招く。
シリンダボア壁の温度分布を改善するために、実開昭５７−４３３３８号では、ウォータジャケットにスペーサを設けることが提案されている。ウォータジャケットにスペーサを設けることで、シリンダボア壁から奪われる熱量を調整することができ、スペーサを設けた部分では水流が低減されシリンダボア壁の温度を高く維持することができることから、シリンダボア壁の温度分布を改善することができる。
【０００３】
【発明が解決しようとする課題】
クローズドデッキ型のシリンダブロックにあっては、スペーサをシリンダブロックの上面に形成された水孔からウォータジャケットに挿入することで、スペーサをウォータジャケットに組み付けることが考えられる。
しかし、この場合、
▲１▼　ウォータジャケットのなかでスペーサを組み付ける必要のない箇所に水孔を介してスペーサを誤って組み付けるといったおそれや、
▲２▼　各水孔の形状に対応させて複数種類のスペーサを組み付けるようにすると、スペーサを複数の水孔のうち挿入すべきでない水孔に誤って挿入して組み付けるといったおそれ、
などがある。
本発明の目的は、スペーサの誤組み付けを防止できる、シリンダブロックおよびスペーサ並びにガスケットを提供することにある。
【０００４】
【課題を解決するための手段】
上記目的を達成する本発明はつぎの通りである。
（１）　上面に複数の水孔が形成され、この水孔からウォータジャケットにスペーサが挿入されることにより、スペーサが組み付けられるクローズドデッキ型のシリンダブロックであって、水孔のうちスペーサを組み付ける必要のない箇所に位置する水孔の形状がスペーサを挿入できない形状とされているシリンダブロック。
（２）　上面に複数の水孔が形成され、この水孔からウォータジャケットにスペーサが挿入されることにより、スペーサが組み付けられるクローズドデッキ型のシリンダブロックであって、水孔のうちスペーサを組み付ける必要のない箇所に位置する水孔にスペーサを挿入したときには、スペーサがシリンダブロックの上面から突出するようウォータジャケットが構成されているシリンダブロック。
（３）　上面に複数の水孔が形成され、これら複数の水孔からウォータジャケットに各水孔の形状に対応した複数種類のスペーサが挿入されることにより、前記スペーサが組み付けられるクローズドデッキ型のシリンダブロックであって、前記スペーサの種類と前記水孔の形状との組み合わせに正しくない組み合わせものがある時には、少なくとも一部のスペーサが正規のウォータジャケット内位置に挿入できないかまたはシリンダブロック上面から突出するよう前記水孔またはウォータジャケットが構成されているシリンダブロック。
（４）　上面に複数の水孔が形成されたクローズドデッキ型のシリンダブロックに用いられ、水孔からウォータジャケットに挿入されることにより、ウォータジャケットに組み付けられるスペーサであって、下端に切り欠きが設けられ、その下端は、複数の水孔のうち挿入すべき水孔とは異なる水孔に挿入されたときには、ウォータジャケットに干渉するが、挿入すべき水孔に挿入されたときには、切り欠きによりウォータジャケットに干渉しないようにされているスペーサ。
（５）　上面に複数の水孔が形成されたクローズドデッキ型のシリンダブロックに用いられ、水孔からウォータジャケットに挿入されることにより、ウォータジャケットに組み付けられるスペーサであって、上端に突起が設けられ、その上端は、複数の水孔のうち挿入すべき水孔に挿入されたときには、上面に組み付けられるガスケットに干渉しないが、挿入すべき水孔とは異なる水孔に挿入されたときは、突起によりガスケットに干渉するようにされているスペーサ。
（６）　上面に複数の水孔が形成され、この水孔からウォータジャケットにスペーサが挿入されることにより、スペーサが組み付けられるクローズドデッキ型のシリンダブロックに用いられ、上面に組み付けられるガスケットであって、スペーサが複数の水孔のうち挿入すべき水孔とは異なる水孔に挿入されたときにスペーサに干渉する突起が設けられているガスケット。
（７）　上面に複数の水孔が形成され、この水孔からウォータジャケットにスペーサが挿入されることにより、スペーサが組み付けられるクローズドデッキ型のシリンダブロックに用いられ、上面に組み付けられるガスケットであって、スペーサが複数の水孔のうち挿入すべき水孔とは異なる水孔に挿入されたときにスペーサに干渉するが、スペーサが挿入すべき水孔に挿入されたときにはスペーサとの干渉をなくす孔が設けられているガスケット。
【０００５】
上記（１）、（２）のシリンダブロックでは、ウォータジャケットのなかでスペーサを組み付ける必要のない箇所に水孔を介してスペーサが誤って組み付けられるのが防止できる。
上記（３）のシリンダブロック、上記（４）、（５）のスペーサ、上記（６）、（７）のガスケットでは、スペーサを複数の水孔のうち挿入すべき水孔に正しく挿入することができる。
【０００６】
【発明の実施の形態】
以下に、本発明のシリンダブロックおよびスペーサ並びにガスケットを図面を参照して説明する。
図面中、
図１は本発明のシリンダブロックの実施例１を示し、
図２は本発明の実施例２を示し、
図３は本発明の実施例３を示し、
図４は本発明の実施例４を示し、
図５は本発明の実施例５を示し、
図６は本発明の実施例６を示し、
図７は本発明の実施例７を示し、
図８は本発明の実施例８を示し、
図９は本発明の実施例９を示し、
図１０は本発明の実施例１０を示し、
図１１は本発明の実施例１１を示し、
図１２は本発明の実施例１２を示し、
図１３は本発明の実施例１３を示し、
図１４は本発明の実施例１４を示し、
図１５は本発明の実施例１５を示し、
図１６、図１７は一般のクローズドデッキ型シリンダブロックのウォータジャケットまわりの構造を示す。
【０００７】
そして、請求項１は本発明の実施例１〜３に対応し、請求項２は本発明の実施例４〜８に対応し、請求項３は本発明の実施例１１、１２に対応し、請求項４は本発明の実施例１３、１４に対応し、請求項５は本発明の実施例１５に対応し、請求項６は本発明の実施例９に対応し、請求項７は本発明の実施例１０に対応する。
【０００８】
本発明の全実施例にわたって共通または類似する部分には、本発明の全実施例にわたって同じ符合を付してある。
まず、本発明の全実施例にわたって共通または類似する部分を、たとえば図１６〜図１７を参照して、説明する。
【０００９】
本発明のシリンダブロック１０は、シリンダボア壁１４のまわりに連続して延びるウォータジャケット１１を有し、ウォータジャケット１１にスペーサ１が挿入、配置された、クローズドデッキ型のシリンダブロックである。シリンダブロック１０はクローズドデッキであるから、シリンダブロック上面の水孔１２は、シリンダブロックの鋳造後の素材段階で、ウォータジャケット１１の伸長方向に非連続になっている。ウォータジャケット１１はシリンダボア１３に沿ってシリンダブロック長手方向に連続している。シリンダブロック上面の水孔１２は、シリンダブロック１０内のウォータジャケット１１とシリンダヘッド内のウォータジャケットとの間にエンジン冷却水を流すための孔であり、ウォータジャケット１１とつながっている。
【００１０】
スペーサ１（スペーサはインサート、挿入物等と呼ばれてもよい）は、クローズドデッキをもつシリンダブロック１０のウォータジャケット１１に挿入、配置される。スペーサ１はシリンダボア壁１４のうち過度に冷却されることを防止したい部分（燃焼室まわりから下方に離れた部分）の外周に密着または間隙を置いて配置され、スペーサ配置部のシリンダボア壁１４から熱が過度に奪われないように水流、水量を調整するものである。スペーサ１はシリンダブロック上面の水孔１２を通してウォータジャケット１１に挿入される。
【００１１】
エンジン冷却水温は、冷却水流れ方向下流側ほどエンジンシリンダブロック１０の熱を奪って温度が上昇するので、シリンダボア壁１４を過度に冷却することがなくなる。したがって、冷却水流れ方向の位置によって、下流側のスペーサ１のサイズを小さくしたり、スペーサ１を設けない場合もある。その場合、大きなサイズのスペーサを組み付けるべき位置に小さなサイズのスペーサを組み付けたり、スペーサを組み付ける必要のない位置にスペーサを組み付けたりしないように、スペーサの誤組み付けが防止される必要が生じる。このスペーサの誤組み付け防止手段または誤組み付け防止構造は、以下に説明するように、本発明の各実施例に応じて種々の態様をとる。
【００１２】
以下に、本発明の各実施例の特有な部分の構成、作用を、請求項毎にまとめて、説明する。
請求項１でまとめられる本発明の実施例１〜３では、図１〜図３に示すように、上面に複数の水孔１２が形成され、この水孔１２からウォータジャケット１１にスペーサ１が挿入されることにより、スペーサ１が組み付けられるクローズドデッキ型のシリンダブロック１０であって、水孔１２のうちスペーサ１を組み付ける必要のない箇所に位置する水孔１２の形状がスペーサ１を挿入できない形状とされている。
本発明の実施例１〜３の作用については、スペーサ１を組み付ける必要のない箇所に位置する水孔１２の形状がスペーサ１を挿入できない形状とされているので、その位置に水孔１２を通してスペーサ１を挿入することができず、スペーサ１の誤組み付けが防止される。
【００１３】
本発明の実施例１〜３の各実施例について説明すると、つぎの通りである。
本発明の実施例１では、図１に示すように、スペーサ１の設置が不要な箇所に位置する水孔１２の幅をスペーサ１の幅より狭くし、スペーサ１を水孔１２を通して挿入できないようにしてある。図１で、幅がＷ１の水孔はスぺーサ１の設置が必要な箇所に位置する水孔１２であり、幅がＷ２の水孔はスぺーサ１の設置が不要な箇所に位置する水孔１２である。そして、Ｗ１はスペーサ１の幅より大で、Ｗ２はスペーサ１の幅より小である。
これによって、幅がＷ２の水孔に対応するウォータジャケット１１内の位置にスペーサ１を誤って組み付けることを防止できる。
【００１４】
本発明の実施例２では、図２に示すように、スペーサ１の設置が不要な箇所に位置する水孔１２の口元にブリッジ１５を設けておき、スペーサ１をブリッジ１５のある水孔１２を通して挿入できないようにしてある。ブリッジ１５は水孔１２の幅と直交する方向に延びて水孔１２の対向縁部を連結している。
これによって、スペーサ１をブリッジ１５のある水孔１２に対応するウォータジャケット１１内の位置に誤って組み付けることを防止できる。
【００１５】
本発明の実施例３では、図３に示すように、スペーサ１の設置が不要な箇所に位置する水孔１２の口元に突起１６を設けておき、スペーサ１を突起１６のある水孔１２を通して挿入できないようにしてある。突起１６は水孔１２の幅と直交する方向に突出し対向する水孔縁部に向かって突出ている。
これによって、スペーサ１を突起１６のある水孔１２に対応するウォータジャケット１１内の位置に誤って組み付けることを防止できる。
【００１６】
請求項２でまとめられる本発明の実施例４〜８では、図４〜図８に示すように、上面に複数の水孔１２が形成され、この水孔１２からウォータジャケット１１にスペーサ１が挿入されることにより、スペーサ１が組み付けられるクローズドデッキ型のシリンダブロック１０であって、水孔１２のうちスペーサ１を組み付ける必要のない箇所に位置する水孔１２にスペーサ１を挿入したときには、スペーサ１がシリンダブロック上面から突出するようウォータジャケット１１（の壁面構造）が形成されている。
本発明の実施例４〜８の作用については、スペーサ１を組み付ける必要のない箇所に位置するウォータジャケット１１の構造がスペーサ１をシリンダブロック上面から突出させる形状とされているので、その位置に水孔１２を通してスペーサ１を挿入しようとするとスペーサ１がシリンダブロック上面から突出してしまってそのウォータジャケット１１内の位置にスペーサ１を組み付けることができず、スペーサ１の誤組み付けが防止される。
【００１７】
本発明の実施例４〜８の各実施例について説明すると、つぎの通りである。
本発明の実施例４では、図４に示すように、スペーサ１の設置が不要な箇所に位置する水孔１２の下方のウォータジャケット底面に上側に向かって突出する突起１７を設け、スペーサ１を水孔１２を通して挿入するとスペーサ１の下端が突起１７にあたってそれ以上挿入できず、スペーサ１の上部がシリンダブロック１０の上面から突出するようにしてある。突起１７の上端とシリンダブロック上面との間の距離は、スペーサ１の長さ（高さ）より小さくしてある。
これによって、突起１７の上方の水孔１２を通してウォータジャケット１１内の位置にスペーサ１全体を組み付けることができず、つまり、その状態ではエンジンを組立てることができず、スペーサ１の誤組み付けが防止される。
【００１８】
本発明の実施例５では、図５に示すように、スペーサ１の設置が不要な箇所に位置する水孔１２の下方のウォータジャケット側面に横方向にウォータジャケット１１内に向かって突出する突起１８を設け、スペーサ１を水孔１２を通して挿入するとスペーサ１の下端が突起１８にあたってそれ以上挿入できず、スペーサ１の上部がシリンダブロック１０の上面から突出するようにしてある。この場合、突起１７とシリンダブロック上面との間の距離は、スペーサ１の長さ（高さ）より小さくしてある。
これによって、突起１８の上方の水孔１２を通してウォータジャケット１１内の位置にスペーサ１全体を組み付けることができず、つまり、その状態ではエンジンを組立てることができず、スペーサ１の誤組み付けが防止される。
【００１９】
本発明の実施例６では、図６に示すように、スペーサ１の設置が不要な箇所に位置する水孔１２の下方のウォータジャケット底面を上方に持ち上げて形成してあり（底面が持ち上げられて形成されている部分（持ち上げ底面部分）を符合１９で示す）、スペーサ１を水孔１２を通して挿入するとスペーサ１の下端が持ち上げ底面部分１９に当たってそれ以上挿入できず、スペーサ１の上部がシリンダブロック１０の上面から突出するようにしてある。この場合、持ち上げ底面部分１９とシリンダブロック上面との間の距離は、スペーサ１の長さ（高さ）より小さくしてある。
これによって、持ち上げ底面部分１９の上方の水孔１２を通してウォータジャケット１１内の位置にスペーサ１全体を組み付けることができず、つまり、その状態ではエンジンを組立てることができず、スペーサ１の誤組み付けが防止される。
【００２０】
本発明の実施例７では、図７に示すように、スペーサ１の設置が不要な箇所に位置する水孔１２の下方のウォータジャケット１１にスペーサ挿入にとって邪魔となる梁２０（たとえば、シリンダブロック鋳造時の砂型内のケレンが残っているものを利用した梁）を設け、スペーサ１を水孔１２を通して挿入するとスペーサ１の下端が梁２０にあたってそれ以上挿入できず、スペーサ１の上部がシリンダブロック１０の上面から突出するようにしてある。梁２０とシリンダブロック上面との間の距離は、スペーサ１の長さ（高さ）より小さくしてある。
これによって、梁２０の上方の水孔１２を通してウォータジャケット１１内の位置にスペーサ１全体を組み付けることができず、つまり、その状態ではエンジンを組立てることができず、スペーサ１の誤組み付けが防止される。
【００２１】
本発明の実施例８では、図８に示すように、スペーサ１の設置が不要な箇所に位置する水孔１２の下方のウォータジャケット１１にタイトプラグ２１を突出させておき、スペーサ１を水孔１２を通して挿入するとスペーサ１の下端がタイトプラグ２１のウォータジャケット内突出部にあたってそれ以上挿入できず、スペーサ１の上部がシリンダブロック１０の上面から突出するようにしてある。タイトプラグ２１のウォータジャケット内突出部の上端とシリンダブロック上面との間の距離は、スペーサ１の長さ（高さ）より小さくしてある。
これによって、タイトプラグ２１のウォータジャケット内突出部の上方の水孔１２を通してウォータジャケット１１内の位置にスペーサ１全体を組み付けることができず、つまり、その状態ではエンジンを組立てることができず、スペーサ１の誤組み付けが防止される。
【００２２】
請求項６に対応する本発明の実施例９では、図９に示すように、上面に複数の水孔１２が形成され、この水孔１２からウォータジャケット１１にスペーサ１が挿入されることにより、スペーサ１が組み付けられるクローズドデッキ型のシリンダブロック１０に用いられ、シリンダブロック上面に組み付けられるガスケット（シリンダヘッドガスケット）３０であって、スペーサ１が複数の水孔１２のうち挿入すべき水孔１２とは異なる水孔１２に挿入されたときに、スペーサ１に干渉する突起３１がガスケット３０に設けられている。突起３１は、スペーサ１が挿入されるべきでない水孔１２に突入するように、ガスケット下面から下方に向かって突出しており、スペーサ１に干渉したときに、ガスケット３０がシリンダブロック１０の上面にセットできないようする。
本発明の実施例９の作用については、スペーサ１が挿入されるべきでない水孔１２にスペーサ１が挿入された場合に、ガスケット３０をセットしようとしてもガスケット３０の突起３１がスペーサ１に干渉してガスケット３０をセットできないので、スペーサ１の誤組み付けが防止される。
【００２３】
請求項７に対応する本発明の実施例１０では、図１０に示すように、上面に複数の水孔１２が形成され、この水孔１２からウォータジャケット１１にスペーサ１が挿入されることにより、スペーサ１が組み付けられるクローズドデッキ型のシリンダブロック１０に用いられ、シリンダブロック上面に組み付けられるガスケット３０であって、スペーサ１が複数の水孔１２のうち挿入すべき水孔１２とは異なる水孔１２に挿入されたときにスペーサ１（スペーサ１に設けた突起である場合を含む）に干渉するが、スペーサ１が挿入すべき水孔１２に挿入されたときにはスペーサ１（スペーサ１に設けた突起である場合を含む）との干渉をなくす孔３２が設けられている。
本発明の実施例１０の作用については、スペーサ１が挿入されるべきでない水孔１２にスペーサ１が挿入された場合に、ガスケット３０をセットしようとしてもスペーサ１（スペーサ１に設けた突起である場合を含む）がガスケット３０に干渉してガスケット３０をセットできないので、スペーサ１の誤組み付けが防止される。
【００２４】
請求項３でまとめられる本発明の実施例１１、１２では、図１１、図１２に示すように、上面に複数の水孔１２が形成され、これら複数の水孔１２からウォータジャケット１１に各水孔１２の形状に対応した複数種類のスペーサ１が挿入されることにより、スペーサ１が組み付けられるクローズドデッキ型のシリンダブロック１０において、スペーサ１の種類と水孔１２の形状との組み合わせに正しくない組み合わせものがある時には、少なくとも一部のスペーサ１が正規のウォータジャケット１１内位置に挿入できないかまたはシリンダブロック上面から突出するよう水孔１２またはウォータジャケット１１が構成されている。
したがって、水孔１２にスペーサ１のうちこの水孔１２に対応しない種類のスペーサ１を挿入したときには、このスペーサ１がシリンダブロック１０の上面から突出するか水孔１２を挿通できないものが出てくるため、誤品組み付けが生じていることがわかり、スペーサ１の誤組み付けが防止される。
【００２５】
本発明の実施例１１、１２の各実施例について説明すると、つぎの通りである。
本発明の実施例１１、１２では、図１１、１２に示すように、各水孔１２の形状（たとえば水孔１２の幅）がスペーサ１の種類毎に変えてある。すなわち、Ａ形状（幅が大であり高さが小）のスペーサ１が挿入される水孔１２の幅は大にしてあり、Ｂ形状（幅が小であり高さが大）のスペーサ１が挿入される水孔１２の幅は小にしてある。Ａ形状のスペーサ１の幅は幅の小の水孔１２の幅より大で、幅の小の水孔１２を通ることができないようにしてある。
本発明の実施例１１、１２の作用については、各水孔１２の形状（たとえば水孔１２の幅）がスペーサ１の種類に応じて変えてあるので、水孔１２の形状とスペーサ１の種類との組み合わせに誤りがある場合は、スペーサ１を水孔１２に挿通できない場合が出てきてしまう。
【００２６】
また、図１１、図１２に示すように、各水孔１２位置でのウォータジャケット深さがスペーサ１の種類毎に変えてある。すなわち、本発明の実施例１１では、図１１に示すように、Ａ形状のスペーサ１が挿入される水孔１２位置でのウォータジャケット底面が上方に持ち上げられており、本発明の実施例１２では、図１２に示すように、Ａ形状のスペーサ１が挿入される水孔１２位置にはウォータジャケット底面に突起１７またはケレン２０が設けてあり、Ｂ形状のスペーサ１が挿入される水孔１２位置にはウォータジャケット底面に突起またはケレンが設けられていない。
また、各水孔１２位置でスペーサ１の種類に応じてウォータジャケット深さを変えてあるので、水孔１２位置（したがって、水孔１２の形状であってもよい）とスペーサ１の種類との組み合わせに誤りがある場合は、スペーサ１を水孔１２に挿入しても一部のスペーサ１はシリンダブロック上面から突出してしまう。こうしたことから、何処かの水孔１２に誤品組み付けがあることがわかり、スペーサ１の誤組み付けが防止される。
【００２７】
請求項４でまとめられる本発明の実施例１３、１４では、図１３、図１４に示すように、上面に複数の水孔１２が形成されたクローズドデッキ型のシリンダブロック１０に用いられ、水孔１２からウォータジャケット１１に挿入されることにより、ウォータジャケット１１に組み付けられるスペーサ１であって、下端に切り欠き２が設けられ、その下端は、スペーサ１が複数の水孔１２のうち挿入すべき水孔１２とは異なる水孔１２に挿入されたときには、ウォータジャケット１１（の壁、壁から突出している突起２２、ケレン、梁等であってもよい）に干渉するが、挿入すべき水孔１２に挿入されたときには、切り欠き２によりウォータジャケット１１（の壁、壁から突出している突起２２、ケレン、梁等であってもよい）に干渉しないようにされている。
したがって、水孔１２にスペーサ１のうちこの水孔１２に対応しない種類のスペーサ１を挿入したときには、少なくとも一部のスペーサ１がシリンダブロック１０の上面から突出するため、誤品組み付け生じていることがわかり、スペーサ１の誤組み付けが防止される。
【００２８】
本発明の実施例１３、１４の各実施例について説明すると、つぎの通りである。
本発明の実施例１３では、図１３に示すように、スペーサ１の種類に応じて、スペーサ１に異なる切り欠き２と、ウォータジャケット１１に切り欠き２に入る突起２２が設けてある。たとえば、Ａ形状のスペーサ１は図１３でスペーサ１の左部下端に切り欠き２があり、ウォータジャケット１１にはスペーサ１の左部下方に突起２２があるが、Ｂ形状のスペーサ１は図１３でスペーサ１の右部下端に切り欠き２があり、ウォータジャケット１１にはスペーサ１の右部下方に突起２２がある。
本発明の実施例１３の作用については、スペーサ１の種類とウォータジャケット１１の突起２２との組み合わせが正常であれば、すべてのスペーサ１がシリンダブロック上面から突出することなく正常に組み付けられるが、組み合わせが間違っていると、突起２２を切り欠き２内に受け入れることができなくなって、一部のスペーサ１はシリンダブロック上面から突出する。そのため、誤品組み付けが生じていることがわかり、スペーサ１の誤組み付けが防止される。
【００２９】
本発明の実施例１４では、図１４に示すように、スペーサ１の種類に応じて、スペーサ１に異なる切り欠き２と、ウォータジャケット１１に切り欠き２に入る梁２３（またはケレン）が設けてある。たとえば、Ａ形状のスペーサ１は図１４でスペーサ１の左部下端に切り欠き２があり、ウォータジャケット１１にはスペーサ１の左部下方に梁２３（またはケレン）があるが、Ｂ形状のスペーサ１は図１４でスペーサ１の右部下端に切り欠き２があり、ウォータジャケット１１にはスペーサ１の右部下方に梁２３（またはケレン）がある。
本発明の実施例１４の作用については、スペーサ１の種類とウォータジャケット１１の梁２３（またはケレン）との組み合わせが正常であれば、すべてのスペーサ１がシリンダブロック上面から突出することなく正常に組み付けられるが、組み合わせが間違っていると、梁２３（またはケレン）を切り欠き２内に受け入れることができなくなって、一部のスペーサ１はシリンダブロック上面から突出する。そのため、誤品組み付けが生じていることがわかり、スペーサ１の誤組み付けが防止される。
【００３０】
請求項５に対応する本発明の実施例１５では、図１５に示すように、上面に複数の水孔１２が形成されたクローズドデッキ型のシリンダブロック１０に用いられ、水孔１２からウォータジャケット１１に挿入されることにより、ウォータジャケット１１に組み付けられるスペーサ１において、スペーサ上端に突起３が設けられ、スペーサ１の上端は、スペーサ１が複数の水孔１２のうち挿入すべき水孔１２に挿入されたときには、シリンダブロック上面に組み付けられるガスケット３０の孔３２に入ってガスケット３０に干渉しないが、スペーサ１が挿入すべき水孔１２とは異なる水孔１２に挿入されたときは、突起３によりガスケット３０に干渉するようにされている。
本発明の実施例１５の作用については、スペーサ１が挿入されるべきでない水孔１２にスペーサ１が挿入された場合に、ガスケット３０をセットしようとしてもスペーサ１（スペーサ１に設けた突起３）がガスケット３０に干渉してガスケット３０をセットできないので、スペーサ１の誤組み付け（誤品組み付け）が防止される。
【００３１】
【発明の効果】
請求項１、２のシリンダブロックによれば、ウォータジャケットのなかでスペーサを組み付ける必要のない箇所に水孔を介してスペーサが誤って組み付けられるのが防止できる。
請求項３のシリンダブロック、請求項４、５のスペーサ、請求項６、７のガスケットによれば、スペーサを複数の水孔のうち挿入すべき水孔に正しく挿入することができる。
【図面の簡単な説明】
【図１】本発明の実施例１のシリンダブロックの一部の平面図である。
【図２】本発明の実施例２のシリンダブロックの一部の平面図である。
【図３】本発明の実施例３のシリンダブロックの一部の平面図である。
【図４】本発明の実施例４のシリンダブロックのウォータジャケット部の一部の断面図である。
【図５】本発明の実施例５のシリンダブロックのウォータジャケット部の一部の断面図である。
【図６】本発明の実施例６のシリンダブロックのウォータジャケット部の一部の断面図である。
【図７】本発明の実施例７のシリンダブロックのウォータジャケット部の一部の断面図である。
【図８】本発明の実施例８のシリンダブロックのウォータジャケット部の一部の断面図である。
【図９】本発明の実施例９のガスケットとそれが取り付けられるシリンダブロックの一部の断面図である。
【図１０】本発明の実施例１０のガスケットとそれが取り付けられるシリンダブロックの一部の断面図である。
【図１１】本発明の実施例１１のシリンダブロックのウォータジャケット部の一部の断面図である。
【図１２】本発明の実施例１２のシリンダブロックのウォータジャケット部の一部の断面図である。
【図１３】本発明の実施例１３のスペーサとそれが取り付けられるウォータジャケットの一部の断面図である。
【図１４】本発明の実施例１４のスペーサとそれが取り付けられるウォータジャケットの一部の断面図である。
【図１５】本発明の実施例１５のスペーサとそれと組み合わされるガスケットの一部の断面図である。
【図１６】一般のクローズドデッキ型シリンダブロックの平面図である。
【図１７】図１６の断面図である。
【符号の説明】
１　スペーサ
２　切り欠き
３　突起
１０　シリンダブロック
１１　ウォータジャケット
１２　水孔
１３　シリンダボア
１４　シリンダボア壁
１５　ブリッジ
１６、１７、１８　突起
１９　持ち上げ底面
２０　梁
２１　タイトプラグ
２２　突起
２３　梁（またはケレン）
３０　ガスケット（シリンダヘッドガスケット）
３１　突起
３２　孔
【図１】
2004019474.tif 000003
【図２】
2004019474.tif 000004
【図３】
2004019474.tif 000005
【図４】
2004019474.tif 000006
【図５】
2004019474.tif 000007
【図６】
2004019474.tif 000008
【図７】
2004019474.tif 000009
【図８】
2004019474.tif 000010
【図９】
2004019474.tif 000011
【図１０】
2004019474.tif 000012
【図１１】
2004019474.tif 000013
【図１２】
2004019474.tif 000014
【図１３】
2004019474.tif 000015
【図１４】
2004019474.tif 000016
【図１５】
2004019474.tif 000017
【図１６】
2004019474.tif 000018
【図１７】
2004019474.tif 000019